(57)【要約】【課題】  身体の各部に当たる湯温のばらつきをなくして身体全体の温まり感をほぼ同じにできて、温熱効果を高めることができる。【解決手段】  使用者が着座する座部１と、座部１の上方において前方に突出するノズルアーム２と、ノズルアーム２の長手方向に設けた複数の吐水口３とを備えて複数の吐水口３から座部１に座った使用者の身体を包み込むように湯水を吐水するシャワー装置Ａである。ノズルアーム２の長手方向に設けた複数の吐水口３から吐水する湯水の湯温が、ノズルアーム２の先端に近い側の吐水口３から吐水する湯水程湯温が高く設定してある。【選択図】        図１
2007054546.tif 000002
【特許請求の範囲】
【請求項１】
使用者が着座する座部と、座部の上方において前方に突出するノズルアームと、ノズルアームの長手方向に設けた複数の吐水口とを備えて複数の吐水口から座部に座った使用者の身体を包み込むように湯水を吐水するシャワー装置において、ノズルアームの長手方向に設けた複数の吐水口から吐水する湯水の湯温が、ノズルアームの先端に近い側の吐水口から吐水する湯水程湯温が高く設定してあることを特徴とするシャワー装置。
【請求項２】
使用者が着座する座部の後方に配置されたノズルユニットの上部にノズルアームを上下方向に回動自在に取付け、上記ノズルユニットに座部に座った使用者の腰部に使用者の後方から粒子状に水流を吐水するための腰シャワー用吐水口を設け、腰シャワー用吐水口から噴出する湯水の温度を独立して制御する腰シャワー温度制御手段を設けて成ることを特徴とする請求項１記載のシャワー装置。
【請求項３】
ノズルアームの長手方向に粒子状に水流を吐水する複数のシャワー用の吐水口を設けて成ることを特徴とする請求項１又は請求項２記載のシャワー装置。
【請求項４】
ノズルアームの長手方向に霧状の水流を噴霧する複数のミスト用の吐水口を設けて成ることを特徴とする請求項１又は請求項２記載のシャワー装置。
【請求項５】
ノズルアームの長手方向に粒子状に水流を吐水する複数のシャワー用の吐水口と、霧状の水流を噴霧する複数のミスト用の吐水口とを設け、シャワー用の吐水口からの吐水とミスト用の吐水口からの吐水とが選択可能となった請求項１又は請求項２記載のシャワー装置。
【発明の詳細な説明】
【技術分野】
【０００１】
本発明は、座部に座った使用者の身体を包み込むように湯水を吐水することができるシャワー装置に関するものである。
【背景技術】
【０００２】
従来から座部の上方にノズルアームを前方に突出するように設け、該ノズルアームに長手方向に複数のシャワー用の吐水口を設け、複数の吐水口から座部に座った使用者の身体を包み込むように湯水を吐水するシャワー装置が特許文献１により知られている。
【０００３】
上記特許文献１に示され従来例にあっては、座部に座った楽な姿勢で、前方に突出するノズルアームの長手方向に設けた複数のシャワー用の吐水口からシャワーを噴出することで、座部に座った使用者は着座姿勢で首から下の身体全体（首、胸、腹、足）に一度にシャワーを浴びるようになっている。この従来例においては、複数のシャワー用の吐水口のうちノズルアームの基部側に位置するシャワー用の吐水口は首から下の身体の上部側にシャワーを浴びせ、ノズルアームの先端側に位置するシャワー用の吐水口程身体の下部側にシャワーを浴びせるようになっており、ノズルアームの基部側に位置するシャワー用の吐水口から噴出したシャワーの身体に至るまでの飛翔距離は短く、ノズルアームの先端側に位置するシャワー用の吐水口から噴出したシャワーの身体に至るまでの飛翔距離は長い。この飛翔距離の差は例えば約５０ｃｍにも達する。
【０００４】
しかしながら上記従来例にあっては、ノズルアームの長手方向に設けた複数のシャワー用の吐水口から噴出するシャワーはすべて同じ温度で噴出するようになっているので、ノズルアームの基部側に位置するシャワー用の吐水口から噴出するシャワーが身体の上部に当たった際の温度と、ノズルアームの先端側に位置するシャワー用の吐水口から噴出するシャワーが身体の上部に当たった際の温度とを比較すると、前者はシャワーの飛翔距離が短いために飛翔中における温度低下が少ないのに比べ、後者はシャワーの飛翔距離が長いために飛翔中における温度低下が大きい。このため、湯温を首や胸において丁度良い温まり感を得るような温度とした場合、身体の下部、つまり、足部分においては温まり効果が不足するという問題がある。逆に、湯温を足部分において丁度良い温まり感を得るような温度にした場合、首や胸においては体感上熱すぎてしまってシャワー浴ができないという問題がある。このように、従来のシャワー装置にあっては、身体の各部に当たる湯温にばらつきが生じ、身体全体の温まり感を同じにできず、温熱効果が十分でないという問題がある。
【特許文献１】特開平１１−３３２９４５号公報
【発明の開示】
【発明が解決しようとする課題】
【０００５】
本発明は上記の従来の問題点に鑑みて発明したものであって、身体の各部に当たる湯温のばらつきをなくして身体全体の温まり感をほぼ同じにできて、温熱効果を高めることができるシャワー装置を提供することを課題とするものである。
【課題を解決するための手段】
【０００６】
上記課題を解決するために本発明に係る湯水供給装置は、使用者が着座する座部１と、座部１の上方において前方に突出するノズルアーム２と、ノズルアーム２の長手方向に設けた複数の吐水口３とを備えて複数の吐水口３から座部１に座った使用者の身体を包み込むように湯水を吐水するシャワー装置Ａにおいて、ノズルアーム２の長手方向に設けた複数の吐水口３から吐水する湯水の湯温が、ノズルアーム２の先端に近い側の吐水口３から吐水する湯水程湯温が高く設定してあることを特徴とするものである。
【０００７】
このような構成とすることで、座部１に座った使用者の首から下の身体の各部にほぼ同じ湯温の湯水が当たることになり、身体各部に当たる湯温のばらつきがなく、身体全体の温まり感を同じにできて、温熱効果を高めることができる。
【０００８】
また、使用者が着座する座部１の後方に配置されたノズルユニット４の上部にノズルアーム２を上下方向に回動自在に取付け、上記ノズルユニット４に座部１に座った使用者の腰部に使用者の後方から粒子状に水流を吐水するための腰シャワー用吐水口５を設け、腰シャワー用吐水口５から噴出する湯水の温度を独立して制御する腰シャワー温度制御手段６を設けることが好ましい。
【０００９】
腰シャワー用吐水口５から腰までの距離はノズルアーム２の基部側の吐水口３から身体（首）までの距離よりも短いので腰シャワー用吐水口５から噴出する湯温が同じノズルアーム２の基部側の吐水口３から噴出する湯温と同じ温度だと腰部分では体感上熱過ぎてしまうが、腰シャワー用吐水口５から腰に当たる湯温の温度をノズルアーム２の吐水口３から吐水する湯の温度制御とは別に独立して温度制御できるので、腰部分においても、熱過ぎないように独立して調整することが可能となる。
【００１０】
また、ノズルアーム２の長手方向に粒子状に水流を吐水する複数のシャワー用の吐水口３ａを設けることが好ましい。
【００１１】
このような構成とすることで、座部１に座った使用者の首から下の身体の各部にほぼ同じ湯温のシャワーが当たることになり、身体各部に当たるシャワーの湯温のばらつきがなく、身体全体の温まり感を同じにできて、シャワー浴で効果的に温熱効果を高めることができる。
【００１２】
また、ノズルアーム２の長手方向に霧状の水流を噴霧する複数のミスト用の吐水口３ｂを設けることが好ましい。
【００１３】
このような構成とすることで、座部１に座った使用者の首から下の身体の各部にほぼ同じ湯温のミストが当たることになり、身体各部に当たるミストの湯温のばらつきがなく、身体全体の温まり感を同じにできて、ミスト浴で効果的に温熱効果を高めることができる。
【００１４】
また、ノズルアーム２の長手方向に粒子状に水流を吐水する複数のシャワー用の吐水口３ａと、霧状の水流を噴霧する複数のミスト用の吐水口３ｂとを設け、シャワー用の吐水口３ａからの吐水とミスト用の吐水口３ｂからの吐水とが選択可能となっていることが好ましい。
【００１５】
このような構成とすることで、座部１に座った状態で全身に同じ湯温のシャワーを浴びるシャワー浴と、全身に同じ湯温のミストを浴びるミスト浴とを選択できる。
【発明の効果】
【００１６】
本発明は、上記のように、ノズルアームの長手方向に設けた複数の吐水口から湯水を噴出して座部に座った使用者の身体を包み込むような入浴をするに当たって、身体の各部に当たる湯温のばらつきをなくして身体全体の温まり感をほぼ同じにできて、温熱効果を高めることができる。
【発明を実施するための最良の形態】
【００１７】
以下、本発明を添付図面に示す実施形態に基いて説明する。
【００１８】
添付図面に示すシャワー装置Ａは、浴室の壁７に取付けられるもので、図２に示すように、両側部に合成樹脂により略直方形状に成形されたノズルユニット４が配置してあり、左右のノズルユニット４の下部に座部１が設けてある。左右のノズルユニット４の前面上部には、使用者の主に肩に向かって衝撃的な水流を噴出する左右のマッサージ用吐水口８が配置してあり、前面下部には使用者の主に腰部に向かって微細水流（シャワー）を噴出する左右の腰シャワー用吐水口５がそれぞれ配置してある。
【００１９】
左右のノズルユニット４の外側部には上端部を支点として略上下方向に回動自在で且つ任意の角度で保持が可能なように略直方体形状のノズルアーム２がそれぞれ設置してある。左右のノズルアーム２は連結バー（図示せず）で連結することにより一方のノズルアーム２を回動すれば他方のノズルアーム２も同時に連動して回動するような構成となっている。
【００２０】
ノズルアーム２の裏面には前後方向に複数の吐水口３が設けてある。複数の吐水口３としては、座部１に座った使用者の身体を包み込むように粒子状の微細水流（シャワー）を噴出する複数のシャワー用の吐水口３ａと、座部１に座った使用者の身体を包み込むように霧状（ミスト状）の水流を噴出する複数のミスト用の吐水口３ｂとが設けてあり、複数のシャワー用の吐水口３ａ、複数のミスト用の吐水口３ｂはいずれもノズルアーム２の長手方向にそれぞれ複数設けてあり、更に、実施形態では、複数のシャワー用の吐水口３ａ、複数のミスト用の吐水口３ｂがノズルアーム２のほぼ全長にわたり所定の間隔で交互に配設してある。
【００２１】
上記シャワー用の吐水口３ａ、ミスト用の吐水口３ｂ、腰シャワー用吐水口５、マッサージ用吐水口８は個々に水流の噴出方向を変更できる調整機能を備えたものであってもよい。
【００２２】
左右のノズルユニット４の間に位置する開放面１２の前面に左右のノズルユニット４の上下端部に枢支し、左右に開閉自在な背もたれカバー１０が設置してある。
【００２３】
図３に示すように左右に開閉自在な背もたれカバー１０を開いた状態にすると、左右のノズルユニット４の間に位置する開放面１２の上部には鏡１３が設置してあり、鏡１３の下端部には下方に向かって吐水する洗い場用吐水口９が設置してある。また、背もたれカバー１０を開いた状態にすると、図３に示すように左右のノズルユニット４、左右のノズルアーム２が背もたれカバー１０で覆われ、この状態では左右のノズルユニット４、左右のノズルアーム２に設けた腰シャワー用吐水口５、マッサージ用吐水口８、シャワー用の吐水口３ａ、ミスト用の吐水口３ｂからの吐水による本来の使用はしない非使用状態である。このように、カバー１０の開閉により腰シャワー用吐水口５、マッサージ用吐水口８、シャワー用の吐水口３ａ、ミスト用の吐水口３ｂの使用が区別できるようになっている。
【００２４】
シャワー浴（つまり微細水流浴）やミスト浴、あるいは水流マッサージなどを行うときは開放面１２を閉じることにより鏡１３のほぼ全面と洗い場用吐水口９を背もたれカバー１０で隠蔽することができ、この状態ではノズルユニット４の前面と背もたれカバー１０の前面とがほぼ面一となるように構成してある。
【００２５】
座部１の上面はほぼフラットな形状をしていてシャワー浴やミスト浴や水流マッサージで使用する場合は使用者が座部１に着座し、通常の入浴作業の時は図３に示すように洗面器１５等の入浴用品を載置するカウンター機能として使用できる。
【００２６】
また、本発明のシャワー装置Ａにはハンドシャワー１６が設けてあり、図２に示す実施形態ではハンドシャワー１６のフレキシブルなシャワーホース１６ｂが座部１に設けた所定のハンドシャワー接続口１６ｃに接続してあり、該ハンドシャワー１６のヘッドは一方のノズルユニット４の外側方の浴室の壁７に設けた引掛け手段（図示せず）に着脱自在に引掛け係止してある。該ハンドシャワー１６のヘッドにはハンドシャワー用吐水口１６ａが設けてある。
【００２７】
図１には本発明の配管ブロック図が示してある。図１の配管ブロック図に示す実施形態では配管路が主配管路１７と副配管路１８との２系統となっている。
【００２８】
主配管路１７は上流側が湯供給管１９、水供給管２０となっており、更に、この湯供給管１９、水供給管２０が温度制御手段２１に接続してあり、この温度制御手段２１より下流側の主配管路１７に温度検知部２２、流量制御手段２３が設けてあり、更に、主配管路１７の流量制御手段２３より下流側を複数の分岐路２４ａ、２４ｂ、２４ｃ、２４ｄ、２４ｅに分岐してあり、各分岐路２４ａ、２４ｂ、２４ｃ、２４ｄ、２４ｅにはそれぞれ弁２５ａ、弁２５ｂ、弁２５ｃ、弁２５ｄ、弁２５ｅが設けてある。
【００２９】
分岐路２４ａはノズルアーム２に設けた複数のシャワー用の吐水口３ａ（シャワー用の吐水口３ａ１、３ａ２、３ａ３、３ａ４、３ａ５）に湯水を供給するための流路であり、分岐路２４ａの弁２５ａの下流側が更に複数の分岐路２６ａ、２６ｂ、２６ｃ、２６ｄ、２６ｅに分岐してあり、分岐路２６ａの先端にシャワー用の吐水口３ａ１が設けてあり、分岐路２６ｂの先端にシャワー用の吐水口３ａ２が設けてあり、分岐路２６ｃの先端にシャワー用の吐水口３ａ３が設けてあり、分岐路２６ｄの先端にシャワー用の吐水口３ａ４が設けてあり、分岐路２６ｅの先端にシャワー用の吐水口３ａ５が設けてある。ここで、図４に示すように、複数のシャワー用の吐水口３ａ１、３ａ２、３ａ３、３ａ４、３ａ５はノズルアーム２の基部から先端側に向けて所定間隔で順に位置している（つまり、シャワー用の吐水口３ａ１がノズルアーム２の基部に位置し、シャワー用の吐水口３ａ５がノズルアーム２の先端に位置し、シャワー用の吐水口３ａ３、３ａ４がその間に位置している）。
【００３０】
ノズルアーム２の基部側に位置するシャワー用の吐水口３ａ１には弁２５ａを通過した湯水が分岐路２６ａを介して直接流れるようになっている。つまり、シャワー用の吐水口３ａ１には温度制御手段２１で設定した温度の湯水が供給される。
【００３１】
一方、ノズルアーム２の基部以外の箇所に位置するシャワー用の吐水口３ａ２、３ａ３、３ａ４、３ａ５には弁２５ａを通過した湯水が温度制御手段２７を経て各分岐路２６ｂ、２６ｃ、２６ｄ、２６ｅを介して流れるようになっている。上記温度制御手段２７には弁２５ａを通過した湯水と、別経路である給湯管２８から湯が供給され（弁２５ａを通過した湯水の温度よりも高い湯が供給される）、弁２５ａを通過した湯水と、給湯管２８から供給される湯とを混合して温度調整して、それぞれシャワー用の吐水口３ａ２、３ａ３、３ａ４、３ａ５に供給するようになっており、この場合、シャワー用の吐水口３ａ２、３ａ３、３ａ４、３ａ５に供給する湯水毎に温度調整をおこなって、シャワー用の吐水口３ａ２、３ａ３、３ａ４、３ａ５の順に次第に温度が高くなるように（つまりノズルアーム２の先端側に位置するシャワー用の吐水口３ａ側程高温に調整された湯水が供給されるように）温度制御されるように設定してある。また、シャワー用の吐水口３ａ２に供給する湯水の温度はシャワー用の吐水口３ａ１に供給する湯水の温度よりも高くなるように設定してある。
【００３２】
分岐路２４ｂは、ノズルアーム２に設けた複数のミスト用の吐水口３ｂ（ミスト用の吐水口３ｂ１、３ｂ２、３ｂ３、３ｂ４、３ｂ５）に湯水を供給するための流路であり、分岐路２４ｂの弁２５ｂの下流側が更に複数の分岐路２９ａ、２９ｂ、２９ｃ、２９ｄ、２９ｅに分岐してあり、分岐路２９ａの先端にミスト用の吐水口３ｂ１が設けてあり、分岐路２９ｂの先端にミスト用の吐水口３ｂ２が設けてあり、分岐路２９ｃの先端にミスト用の吐水口３ｂ３が設けてあり、分岐路２９ｄの先端にミスト用の吐水口３ｂ４が設けてあり、分岐路２９ｅの先端にミスト用の吐水口３ｂ５が設けてある。ここで、図４に示すように、複数のミスト用の吐水口３ｂ１、３ｂ２、３ｂ３、３ｂ４、３ｂ５はノズルアーム２の基部から先端側に向けて所定間隔で順に位置している（つまり、ミスト用の吐水口３ｂ１がノズルアーム２の基部に位置し、ミスト用の吐水口３ｂ５がノズルアーム２の先端に位置し、ミスト用の吐水口３ｂ３、３ｂ４がその間に位置している）。
【００３３】
ノズルアーム２の基部側に位置するミスト用の吐水口３ｂ１には弁２５ｂを通過した湯水が分岐路２９ａを介して直接流れるようになっている。つまり、ミスト用の吐水口３ｂ１には温度制御手段２１で設定した温度の湯水が供給される。
【００３４】
一方、ノズルアーム２の基部以外の箇所に位置するミスト用の吐水口３ｂ２、３ｂ３、３ｂ４、３ｂ５には弁２５ｂを通過した湯水が温度制御手段３０を経て各分岐路２９ｂ、２９ｃ、２９ｄ、２９ｅを介して流れるようになっている。上記温度制御手段３０には弁２５ｂを通過した湯水と、別経路である給湯管３１から湯が供給され（弁２５ｂを通過した湯水の温度よりも高い温度の湯が供給される）、弁２５ｂを通過した湯水と、給湯管２８から供給される湯とを混合して温度調整して、それぞれミスト用の吐水口３ｂ２、３ｂ３、３ｂ４、３ｂ５に供給するようになっており、この場合、ミスト用の吐水口３ｂ２、３ｂ３、３ｂ４、３ｂ５に供給する湯水毎に温度調整をおこなって、ミスト用の吐水口３ｂ２、３ｂ３、３ｂ４、３ｂ５の順に次第に温度が高くなるように（つまりノズルアーム２の先端側に位置するミスト用の吐水口３ｂ側程高温に調整された湯水が供給されるように）温度制御されるように設定してある。また、ミスト用の吐水口３ｂ２に供給する湯水の温度はミスト用の吐水口３ｂ１に供給する湯水の温度よりも高くなるように設定してある。
【００３５】
また、分岐路２４ｃの弁２５ｃの下流側の端部には左右のマッサージ用吐水口８が設けてあり、分岐路２４ｄの弁２５ｄの下流側の端部にはハンドシャワー用吐水口１６ａが設けてあり、分岐路２４ｅの弁２５ｅの下流側の端部には洗い場用吐水口９が設けてある。
【００３６】
また、主配管路１７の温度検知部２２と流量制御手段２３との間から排水弁３２を有する排水管路３３が分岐してある。
【００３７】
一方、副配管路１８は上流側が湯供給管３４、水供給管３５となっており、更に、この湯供給管３４、水供給管３５が腰シャワー温度制御手段６に接続してあり、副配管路１８の腰シャワー温度制御手段６より下流側において温度検知部３６、流量制御手段３７、弁３８が順に配置してあり、弁３８より下流側に左右の腰シャワー用吐水口５が設けてある。
【００３８】
また、副配管路１８の温度検知部３６と流量制御手段３７との間から排水弁５０を有する排水管路５１が分岐してある。
【００３９】
上記した主配管路１７の弁２５ａ、弁２５ｂ、弁２５ｃ、弁２５ｄ、弁２５ｅ、副配管路１８の弁３８は弁切換え制御手段３９からの信号で切換えられるようになっている。
【００４０】
図５には上記構成のシャワー装置Ａの操作を行うためのリモコンスイッチ装置Ｂが示してあり、湯温調整用主スイッチ部４０、流量調整用主スイッチ部４１、湯温調整用副スイッチ部４２、流量調整用副スイッチ部４３、シャワー用スイッチ部４４、ミスト用スイッチ部４５、マッサージ用スイッチ部４６、ハンドシャワー用スイッチ部４７、からん用スイッチ部４８が設けてある。
【００４１】
ここで、湯温調整用主スイッチ部４０を操作することで主配管路１７に設けた温度制御手段２１において湯供給管１９から供給される湯と水供給管２０から供給される水との混合割合を変化させて湯温調整をすることができ、流量調整用主スイッチ部４１を操作することで、主配管路１７に設けた流量制御手段２３による流量調整を行うことができ、また、湯温調整用副スイッチ部４２を操作することで副配管路１８に設けた腰シャワー温度制御手段６において湯供給管３４から供給される湯と水供給管３５から供給される水との混合割合を変化させて湯温調整をすることができ、流量調整用副スイッチ部４３を操作することで副配管路１８に設けた流量制御手段３７による流量調整を行うことができる用に設定してある。また、シャワー用スイッチ部４４をオン操作すると、弁切換え制御手段３９により主配管路１７の弁２５ａと、副配管路１８の弁３８が開となるように制御され（この場合他の弁は閉である）、ミスト用スイッチ部４５をオン操作すると、弁切換え制御手段３９により主配管路１７の弁２５ｂと、副配管路１８の弁３８が開となるように制御され（この場合他の弁は閉である）、マッサージ用スイッチ部４６をオン操作すると、弁切換え制御手段３９により主配管路１７の弁２５ｃと、副配管路１８の弁３８が開となるように制御され（この場合他の弁は閉である）、ハンドシャワー用スイッチ部４７をオン操作すると、弁切換え制御手段３９により主配管路１７の弁２５ｄのみが開となるように制御され、からん用スイッチ部４８をオン操作すると、弁切換え制御手段３９により主配管路１７の弁２５ｅのみが開となるように制御されるように設定してある。
【００４２】
上記のような構成のシャワー装置Ａの使用に当たっては、図２に示すように背もたれカバー１０を閉じた状態で座部１に使用者が座り、この状態でシャワー用スイッチ部４４、ミスト用スイッチ部４５、マッサージ用スイッチ部４６のいずれかをオン操作することで、座部１に座った状態で身体の略全体を包み込むようなシャワー浴や、身体の略全体を包み込むようなミスト浴や、水流マッサージを行うことができる。
【００４３】
例えば、シャワー浴をする場合は、ノズルアーム２を回動して前方に突出させ、この状態でシャワー用スイッチ部４４をオン操作すると弁２５ａ、弁３８が開き、左右のノズルアーム２の長手方向に設けたシャワー用の吐水口３ａ１、３ａ２、３ａ３、３ａ４、３ａ５からそれぞれ粒子状に水流を噴出し（シャワーが噴出し）て、座部１に座った使用者の身体のほぼ全体を包み込むようシャワー浴を行い、同時に左右の腰シャワー用吐水口５からそれぞれ粒子状に水流を噴出し（シャワーが噴出し）て、座部１に座った使用者の背方から腰にシャワーを浴びせる。
【００４４】
この場合、湯温調整用主スイッチ部４０を操作して温度制御手段２１で湯水の温度を任意の温度に設定し、主配管路１７の下流側に流すのであるが、シャワー用の吐水口３ａ１からは上記温度制御手段２１で設定した温度の湯水が噴出する。また、シャワー用の吐水口３ａ２、３ａ３、３ａ４、３ａ５から噴出する湯水は、上記温度制御手段２１で設定された温度の湯水に、これよりも高温の湯（例えば５０℃以上の湯）を温度制御手段２７部分で加え、高温の湯を加える量をそれぞれ変えることでシャワー用の吐水口３ａ２、３ａ３、３ａ４、３ａ５の順で次第に湯温が高くなるように調整されるものであり、また、上記温度制御手段２１では最高の温度となるシャワー用の吐水口３ａ５から噴出する湯水の温度がシャワー用の吐水口３ａ５直近で人が浴びても安全な温度以下となるように制御される。このように、ノズルアーム２の長手方向に複数設けたシャワー用の吐水口３ａ２、３ａ３、３ａ４、３ａ５からシャワーを噴出して座部１に座った使用者を包み込むようなシャワー浴を行う際、噴出位置から身体までの距離が短いシャワー用の吐水口３ａよりも噴出位置から身体までの距離が長いシャワー用の吐水口３ａ程噴出する湯水の温度を高くしてあるので、各シャワー用の吐水口３ａ２、３ａ３、３ａ４、３ａ５から噴出したシャワーが座部１に座った使用者の首から下の身体の各部に到達した際はほぼ同じ湯温となり、身体各部に当たる湯温のばらつきがなく、身体全体の温まり感を同じにできて、温熱効果を高めることができる。
【００４５】
また、上記のように座部１に使用者が座った状態でノズルアーム２に設けた複数のシャワー用の吐水口３ａからシャワーを噴出して使用者の身体を包み込むようなシャワー浴を行っている際、同時に左右の腰シャワー用吐水口５からそれぞれシャワーが噴出して腰に当たるため、使用者の背面側が冷えることがないようになっている。この場合、湯温調整用副スイッチ部４２を操作して腰シャワー温度制御手段６により腰シャワー用吐水口５から噴出する湯水の温度を調整する。つまり、腰シャワー用吐水口５から座部１に座った使用者の腰部分までの距離は短い（シャワー用の吐水口３ａ１から首までの距離よりも短い）ため、仮に、シャワー用の吐水口３ａ１と同じ温度の湯水を腰シャワー用吐水口５から噴出すると、腰シャワー用吐水口５から身体までの距離が短いため腰に当たる湯水が熱過ぎて快適な使用ができないが、上記のように、腰シャワー用吐水口５から噴出する湯水の温度を腰シャワー温度制御手段６により独立して調整することで、身体全体の温まり感を同じにできる。
【００４６】
次に、座部１に座ってミスト浴をする場合は、ノズルアーム２を回動して前方に突出させ、この状態でミスト用スイッチ部４５をオン操作すると弁２５ｂ、弁３８が開き、左右のノズルアーム２の長手方向に設けたミスト用の吐水口３ｂ１、３ｂ２、３ｂ３、３ｂ４、３ｂ５からそれぞれミストを噴出して、座部１に座った使用者の身体のほぼ全体を包み込むようミスト浴を行い、同時に左右の腰シャワー用吐水口５からそれぞれ粒子状に水流を噴出し（シャワーが噴出し）て、座部１に座った使用者の背方から腰にシャワーを浴びせる。
【００４７】
この場合、湯温調整用主スイッチ部４０を操作して温度制御手段２１で湯水の温度を任意の温度に設定し、主配管路１７の下流側に流すのであるが、ミスト用の吐水口３ｂ１からは上記温度制御手段２１で設定した温度の湯水が噴出する。ミスト浴の際は通常シャワー浴よりも少し高い湯温となるように設定する。また、ミスト用の吐水口３ｂ２、３ｂ３、３ｂ４、３ｂ５から噴出するミストとなる湯水は、上記温度制御手段２１で設定された温度の湯水に、これよりも高温の湯（例えば５０℃以上の湯）を温度制御手段３０部分で加え、高温の湯を加える量をそれぞれ変えることでミスト用の吐水口３ｂ２、３ｂ３、３ｂ４、３ｂ５の順で次第に湯温が高くなるように調整されるものであり、また、上記温度制御手段２１では最高の温度となるミスト用の吐水口３ｂ５から噴出する湯水の温度がミスト用の吐水口３ｂ５直近で人が浴びても安全な温度以下となるように制御される。このように、ノズルアーム２の長手方向に複数設けたミスト用の吐水口３ｂ２、３ｂ３、３ｂ４、３ｂ５からミストを噴出して座部１に座った使用者を包み込むようなミスト浴を行う際、噴出位置から身体までの距離が短いミスト用の吐水口３ｂよりも噴出位置から身体までの距離が長いミスト用の吐水口３ｂ程噴出する湯水の温度を高くしてあるので、各ミスト用の吐水口３ｂ２、３ｂ３、３ｂ４、３ｂ５から噴出したミストが座部１に座った使用者の首から下の身体の各部に到達した際はほぼ同じ湯温となり、身体各部に当たる湯温のばらつきがなく、身体全体の温まり感を同じにできて、温熱効果を高めることができる。
【００４８】
また、上記のように座部１に使用者が座った状態でノズルアーム２に設けた複数のミスト用の吐水口３ｂからミストを噴出して使用者の身体を包み込むようなミスト浴を行っている際、同時に左右の腰シャワー用吐水口５からそれぞれシャワーが噴出して腰に当たるため、使用者の背面側が冷えることがないようになっている。この場合、湯温調整用副スイッチ部４２を操作して腰シャワー温度制御手段６により腰シャワー用吐水口５から噴出する湯水の温度を調整する。つまり、腰シャワー用吐水口５から座部１に座った使用者の腰部分までの距離は短い（ミスト用の吐水口３ｂ１から首までの距離よりも短い）ため、仮に、ミスト用の吐水口３ｂ１と同じ温度の湯水を腰シャワー用吐水口５から噴出すると、腰シャワー用吐水口５から身体までの距離が短いため腰に当たる湯水が熱過ぎて快適な使用ができない。しかも、これに加えてミストをシャワー温度と同じにすると体感温度が低くなるので、一般的にミスト温度の噴出温度はシャワーの噴出温度よりも高くする。この点でもシャワー用の吐水口３ｂ１と同じ温度の湯水を腰シャワー用吐水口５から噴出すると、腰に当たる湯水が熱過ぎて快適な使用ができない。そこで、上記のように腰シャワー用吐水口５から噴出する湯水の温度を腰シャワー温度制御手段６により独立して調整することで、身体全体の温まり感を同じにできる。
【００４９】
次に、座部１に座って水流マッサージをする場合は、マッサージ用スイッチ部４６をオン操作すると弁２５ｃ、弁３８が開き、左右のマッサージ用吐水口８から使用者の主に肩に向かって衝撃的な水流を噴出して水流マッサージを行い、同時に左右の腰シャワー用吐水口５からそれぞれ粒子状に水流を噴出し（シャワーが噴出し）て、座部１に座った使用者の背方から腰にシャワーを浴びせる。
【００５０】
また、ハンドシャワー１６を使用する場合は、ハンドシャワー用スイッチ部４７をオン操作することで、弁２５ｄが開き、ハンドシャワー１６のヘッドのハンドシャワー用吐水口１６ａからシャワーを噴出することができる。
【００５１】
また、洗い場用吐水口９から湯水を吐出する場合は、からん用スイッチ部４８をオン操作することで弁２５ｅが開き、洗い場用吐水口９から湯水を吐水することができる。
【００５２】
また、前述の実施形態ではリモコンスイッチ装置Ｂを設けてリモコン操作で各モードの切換えや湯温や湯量の調整を行うようにした例を示したが、湯水混合栓を手で直接操作することで各温度制御手段による温度制御を行ったり、流量調整弁を手で直接操作することで各流量制御手段による流量調整をおこなったり、流路切換え弁を手で直接操作することで、各モードを選択自在としてもよい。
【００５３】
また、前述の実施形態ではノズルアーム２の長手方向に粒子状に水流を吐水する複数のシャワー用の吐水口３ａと、霧状の水流を噴霧する複数のミスト用の吐水口３ｂとを設け、シャワー用の吐水口３ａからの吐水とミスト用の吐水口３ｂからの吐水とが選択可能とした例を示したが、ノズルアーム２の長手方向に粒子状に水流を吐水する複数のシャワー用の吐水口３ａのみを設けたものでもよく、あるいは、ノズルアーム２の長手方向に霧状の水流を噴霧する複数のミスト用の吐水口３ｂのみを設けたものであってもよい。
【図面の簡単な説明】
【００５４】
【図１】本発明の配管ブロック図である。
【図２】本発明のシャワー装置の着座使用状態の斜視図である。
【図３】同上のシャワー装置の通常使用状態の斜視図である。
【図４】同上のノズルアームを突出した状態の要部斜視図である。
【図５】同上に用いるリモコンスイッチ装置の正面図である。
【符号の説明】
【００５５】
１  座部
２  ノズルアーム
３  吐水口
３ａ  シャワー用の吐水口
３ｂ  ミスト用の吐水口
４  ノズルユニット
５  腰シャワー用吐水口
６  腰シャワー温度制御手段
Ａ  シャワー装置
【図１】
2007054546.tif 000003
【図２】
2007054546.tif 000004
【図３】
2007054546.tif 000005
【図４】
2007054546.tif 000006
【図５】
2007054546.tif 000007